(57)【要約】      （修正有）【課題】時間の経過とともに変化する体重および体脂肪率などをユーザー自身が活動量計に設定する手間を省くことが可能なテレビジョン受信機を提供する。【解決手段】テレビジョン受信機１００において、情報記憶部１２８は、機器情報識別部１４３が識別した各健康機器毎に、健康情報およびプロフィール情報を記憶するとともに、これらの情報を記憶した日付である日付情報を記憶する。機器情報識別部１４３は、健康機器１３０の日付情報と健康機器１３１の日付情報とを比較し、この比較結果に基づいて、有線インターフェイス１２６は、比較された健康機器１３１の日付情報が示す日付に記憶された健康機器１３１の健康情報を健康機器１３０のプロフィール情報の一部として健康機器１３０へ送信する。【選択図】図１
2015128491.tif 000002
【特許請求の範囲】
【請求項１】
ユーザーの健康に関連する情報である健康情報を一部に含む前記ユーザーのプロフィールの情報であるプロフィール情報と、前記健康情報と、前記健康情報を測定する健康機器を特定するための機器情報とを記憶し、かつ、前記健康機器と通信するテレビジョン受信機であって、
前記健康機器は第１健康機器および第２健康機器を含み、
前記第１健康機器および前記第２健康機器から、前記健康情報、前記機器情報および前記プロフィール情報を受信する受信部と、
前記受信部が受信した前記機器情報に基づいて、前記第１健康機器および前記第２健康機器を識別する機器識別部と、
前記機器識別部が識別した各前記健康機器毎に、前記健康情報および前記プロフィール情報を記憶するとともに、これらの情報を記憶した日付である日付情報を記憶する情報記憶部と、
前記第１健康機器の日付情報と前記第２健康機器の日付情報とを比較する情報比較部と、
前記情報比較部の比較結果に基づいて、比較された前記第２健康機器の日付情報が示す日付に記憶された前記第２健康機器の前記健康情報を前記第１健康機器の前記プロフィール情報の一部として前記第１健康機器へ送信する送信部と、
を備える、
テレビジョン受信機。
【請求項２】
前記情報比較部の比較結果において前記第１健康機器の日付情報の方が古い場合、前記送信部は、比較された前記第２健康機器の日付情報が示す日付に記憶された前記第２健康機器の前記健康情報を前記第１健康機器のプロフィール情報の一部として前記第１健康機器へ送信する、請求項１記載のテレビジョン受信機。
【請求項３】
ユーザーの健康に関連する情報である健康情報に対応する身体情報を一部に含む前記ユーザーのプロフィールの情報であるプロフィール情報と、前記健康情報と、前記健康情報を測定する健康機器を特定するための機器情報とを記憶し、かつ、前記健康機器と通信するテレビジョン受信機であって、
前記健康機器は第１健康機器および第２健康機器を含み、
前記第１健康機器および前記第２健康機器から、前記健康情報、前記機器情報および前記プロフィール情報を受信する受信部と、
前記受信部が受信した前記機器情報に基づいて、前記第１健康機器および前記第２健康機器を識別する機器識別部と、
前記機器識別部が識別した各前記健康機器毎に、前記健康情報および前記プロフィール情報を記憶する情報記憶部と、
前記第１健康機器の前記プロフィール情報と前記第２健康機器の前記健康情報とを比較する情報比較部と、
前記情報比較部の比較結果に基づいて、比較された前記第２健康機器の前記健康情報を前記第１健康機器の前記プロフィール情報の一部として前記第１健康機器へ送信する送信部と、
を備える、
テレビジョン受信機。
【請求項４】
前記情報比較部は、前記第１健康機器の前記身体情報と前記第２健康機器の前記健康情報とを比較し、
比較された情報が異なる場合、前記送信部は、比較された前記第２健康機器の前記健康情報を前記第１健康機器のプロフィール情報の一部として前記第１健康機器へ送信する、請求項３記載のテレビジョン受信機。
【発明の詳細な説明】
【技術分野】
【０００１】
本発明は、健康機器から送信される健康情報を利用した処理を行うテレビジョン受信機に関する。
【背景技術】
【０００２】
近年の健康意識の向上により、活動量計および体組成計などの健康機器が家庭に普及してきた。当該活動量計は、歩数を測定（計測）する機能に加え、カロリーの計算機能などを有する。当該体組成計は、体重を測定する機能に加え、体脂肪率、内臓脂肪、筋肉量および骨量などを簡易的に測定する機能およびＢＭＩおよびカロリーの計算機能などを有する。
【０００３】
一般的にこれらの健康機器は、小さなディスプレイと、設定を行うための簡易的な操作ボタンしか有していない。そのため、視認性を向上するために、当核健康機器で測定した健康情報を、テレビジョン受信機およびパーソナルコンピュータ等を利用して管理したり、表示したりすることがある。
【０００４】
テレビジョン受信機の本来の機能は、デジタルテレビ放送波等を受信して、映像をディスプレイで表示し、音声をスピーカーで出力する機能である。当該デジタルテレビ放送波とは、地上波または衛星を使用して放送される電波である。なお、テレビジョン受信機は、家庭内において最も普及しているディスプレイ装置である。そのため、テレビジョン受信機は、放送番組だけでなく様々な情報を表示する表示機器としても用いられる。
【０００５】
一般的に、活動量計は、測定した歩数を移動した距離および消費カロリーに換算するために、ユーザーが使用を開始するときに年齢（あるいは生年月日）、性別、身長、体重および体脂肪率などの情報を設定することがある。同様に体組成計は、測定した体内インピーダンスおよび体重などから、体脂肪率、内臓脂肪、筋肉量および骨量などに換算するために、ユーザーが使用を開始するときに年齢（あるいは生年月日）、性別および身長などの情報を設定することがある。
【０００６】
これらの健康機器で使用を開始するときに設定する情報は多く、設定を容易に行うためにパーソナルコンピュータ等を利用して設定を行うことは容易に想像がつくが、高齢者およびコンピュータなどの機器操作に不慣れなユーザー等にとっては、わかりにくい。
【０００７】
また、これらの健康機器で使用を開始するときに設定する情報は、換算されて表示される値に影響するため、より正しい値を設定することが望ましいが、例として、活動量計に設定する体重、体脂肪率などはユーザー自身が正しい値を記憶していることを期待することは難しい。
【０００８】
そこで、特許文献１には、換算されて表示される値をより正確に行うために、他の装置によって取得したデータを利用して精度よく行う技術（以下「関連技術Ａ」という）が開示されている。関連技術Ａでは、例として体組成計で換算されて表示される体脂肪率を、病院などでＭＲＩ（magnetic resonance imaging）、ＣＴ（Computed Tomography）またはＤＥＸＡ（Dual Energy X-Ray Absorptiometry）等によって測定した体脂肪率および内蔵脂肪と、体組成計で測定したインピーダンス値との相関関係を見て、体組成推定アルゴリズムを個々人に合わせて最適化することでより精度よく行えることをあげている。
【先行技術文献】
【特許文献】
【０００９】
【特許文献１】国際公開第２０１０／０９５７０９号公報
【発明の概要】
【発明が解決しようとする課題】
【００１０】
しかしながら、関連技術Ａでは、以下のような問題点がある。具体的には、家庭で利用している健康機器とは別に病院などでＭＲＩ、ＣＴまたはＤＥＸＡ等による測定が必要となる。
【００１１】
また、ユーザーが健康を意識し毎日継続して運動を行った場合、体重および体脂肪率などは時間の経過とともに変化することが一般的に知られている。
【００１２】
そのため、関連技術Ａでは、体組成計で換算されて表示される値をより正確に行うために定期的に測定するためのコストが大きく、活動量計に設定する体重および体脂肪率などはユーザー自身が定期的に正しい値を設定する必要がある。すなわち、家庭でそれらの健康機器を利用している一般的なユーザーは、時間の経過とともに変化する体重および体脂肪率などをユーザー自身が活動量計に設定する手間を省くことはできないという問題がある。
【００１３】
そこで、本発明は、時間の経過とともに変化する体重および体脂肪率などをユーザー自身が活動量計に設定する手間を省くことが可能なテレビジョン受信機を提供することを目的とする。
【課題を解決するための手段】
【００１４】
本発明に係るテレビジョン受信機は、ユーザーの健康に関連する情報である健康情報を一部に含む前記ユーザーのプロフィールの情報であるプロフィール情報と、前記健康情報と、前記健康情報を測定する健康機器を特定するための機器情報とを記憶し、かつ、前記健康機器と通信するテレビジョン受信機であって、前記健康機器は第１健康機器および第２健康機器を含み、前記第１健康機器および前記第２健康機器から、前記健康情報、前記機器情報および前記プロフィール情報を受信する受信部と、前記受信部が受信した前記機器情報に基づいて、前記第１健康機器および前記第２健康機器を識別する機器識別部と、前記機器識別部が識別した各前記健康機器毎に、前記健康情報および前記プロフィール情報を記憶するとともに、これらの情報を記憶した日付である日付情報を記憶する情報記憶部と、前記第１健康機器の日付情報と前記第２健康機器の日付情報とを比較する情報比較部と、前記情報比較部の比較結果に基づいて、比較された前記第２健康機器の日付情報が示す日付に記憶された前記第２健康機器の前記健康情報を前記第１健康機器の前記プロフィール情報の一部として前記第１健康機器へ送信する送信部とを備えるものである。
【発明の効果】
【００１５】
本発明によれば、受信部は、第１健康機器および第２健康機器から、健康情報、機器情報およびプロフィール情報を受信する。情報比較部は、第１健康機器の日付情報と前記第２健康機器の日付情報とを比較し、情報比較部の比較結果に基づいて、送信部は、比較された第２健康機器の日付情報が示す日付に記憶された第２健康機器の健康情報を第１健康機器のプロフィール情報の一部として第１健康機器へ送信する。
【００１６】
すなわち、時間の経過とともに変化する体重および体脂肪率などをユーザー自身が第１健康機器である活動量計に設定することなく、第２健康機器である体組成計から受信した健康情報をテレビジョン受信機が活動量計に送信する。これにより、ユーザー自身が活動量計に設定する手間を省くことができる。
【図面の簡単な説明】
【００１７】
【図１】実施の形態１に係るテレビジョン受信機と健康機器とを示す概略ブロック図である。
【図２】実施の形態１に係るテレビジョン受信機と健康機器の外観を簡易的に示す図である。
【図３】実施の形態１に係るテレビジョン受信機の表示部が表示する健康管理画像の一例を示す図である。
【図４】健康情報管理テーブルの一例を模式的に示す図である。
【図５】機器情報識別処理のフローチャートの一部である。
【図６】機器情報識別処理のフローチャートの一部である。
【図７】機器情報識別処理のフローチャートの残部である。
【図８】実施の形態２の図７相当図である。
【発明を実施するための形態】
【００１８】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１９】
＜実施の形態１＞
（装置構成）
図１は、本発明の実施の形態１に係るテレビジョン受信機１００と健康機器１３０，１３１とを示す概略ブロック図である。なお、図１では、説明のために、テレビジョン受信機１００に含まれない操作指示送信部２００も示している。操作指示送信部２００は、ユーザーにより操作される装置である。操作指示送信部２００は、例えば、リモコンまたは赤外線送信機等である。
【００２０】
図２は、本発明の実施の形態１に係るテレビジョン受信機１００と健康機器１３０，１３１の外観を簡易的に示す図である。
【００２１】
なお、本明細書において、番組とは、映像で表現される映像コンテンツであるとする。当該番組は、例えば、デジタル放送の規格に従った番組である。
【００２２】
図１を参照して、テレビジョン受信機１００は、アンテナ１０１と、チューナ部１０２と、ＴＳ（Transport Stream）デコーダ１０４と、ＡＶ（Audio Video）デコーダ１０６と、グラフィックス重畳部１０９と、効果音重畳部１１０と、ＡＶ制御部１１３と、表示部１１４と、音声出力部１１５と、マイコン１２０と、ＲＯＭ（Read Only Memory）１２１と、ＲＡＭ（Random Access Memory）１２２と、バス１２３と、タイマー部１２９と、情報記憶部１２８と、有線インターフェイス１２６と、無線インターフェイス１２７と、操作指示受信部１２５とを備える。
【００２３】
アンテナ１０１は、放送波としてのＲＦ（Radio Frequency）信号を受信する。ＲＦ信号は、複数のチャンネルの番組を示すＴＳを含む。すなわち、ＲＦ信号は、映像（映像コンテンツ）である番組を含む。アンテナ１０１は、チューナ部１０２に接続される。
【００２４】
バス１２３には、チューナ部１０２、ＴＳデコーダ１０４、ＡＶデコーダ１０６、グラフィックス重畳部１０９、効果音重畳部１１０、ＡＶ制御部１１３およびマイコン１２０が接続される。チューナ部１０２、ＴＳデコーダ１０４、ＡＶデコーダ１０６、グラフィックス重畳部１０９、効果音重畳部１１０およびＡＶ制御部１１３は、バス１２３を介して、マイコン１２０により制御可能に構成されている。
【００２５】
チューナ部１０２は、アンテナ１０１から、番組を含むＲＦ信号を受信する。そして、チューナ部１０２は、ＲＦ信号に対し、任意の放送電波周波数に対する同調処理および復調処理等を行うことにより、当該ＲＦ信号からＴＳ（Transport Stream）を抽出する。そして、チューナ部１０２は、抽出したＴＳを、ＴＳデコーダ１０４へ送信する。当該ＴＳは、受信に必要な情報を示すパーシャルＴＳを含む。パーシャルＴＳは、特定のチャンネルの番組を含む。
【００２６】
ＴＳデコーダ１０４は、受信したＴＳからパーシャルＴＳを抽出し、当該パーシャルＴＳを、ＡＶデコーダ１０６へ送信する。
【００２７】
ＡＶデコーダ１０６は、受信したパーシャルＴＳをデコードすることにより、映像信号ＳＧＶおよび音声信号ＳＧＡを得る。そして、ＡＶデコーダ１０６は、映像信号ＳＧＶをグラフィックス重畳部１０９へ送信する。また、ＡＶデコーダ１０６は、音声信号ＳＧＡを効果音重畳部１１０へ送信する。
【００２８】
グラフィックス重畳部１０９は、必要に応じて、映像信号ＳＧＶが示す映像に、例えば、グラフィックス画像を重畳（オーバーレイ）する。そして、グラフィックス重畳部１０９は、重畳された映像を示す映像信号を、ＡＶ制御部１１３へ送信する。なお、グラフィックス重畳部１０９は、映像信号ＳＧＶを、そのまま、ＡＶ制御部１１３へ送信する場合もある。
【００２９】
効果音重畳部１１０は、必要に応じて、音声信号ＳＧＡが示す音声に、所定の効果音を重畳し、重畳された音声を示す音声信号を、ＡＶ制御部１１３へ送信する。なお、効果音重畳部１１０は、音声信号ＳＧＡを、そのまま、ＡＶ制御部１１３へ送信する場合もある。
【００３０】
表示部１１４は、番組（映像）を表示する機能を有する。表示部１１４は、例えば、液晶パネルである。図２に示すように、表示部１１４は、映像を表示するための画面１１４ａを有する。音声出力部１１５は、スピーカーである。
【００３１】
ＡＶ制御部１１３は、受信した映像信号に基づく映像を表示部１１４に表示させる制御と、受信した音声信号に基づく音声を音声出力部１１５から出力させる制御とを行う。
【００３２】
バス１２３には、さらに、ＲＯＭ１２１、ＲＡＭ１２２、情報記憶部１２８、有線インターフェイス１２６、無線インターフェイス１２７、タイマー部１２９および操作指示受信部１２５が接続される。ＲＯＭ１２１、ＲＡＭ１２２、情報記憶部１２８、有線インターフェイス１２６、無線インターフェイス１２７、操作指示受信部１２５およびタイマー部１２９は、バス１２３を介して、マイコン１２０により制御可能に構成されている。
【００３３】
ＲＯＭ１２１は、プログラムを格納する。
【００３４】
マイコン１２０は、ＲＯＭ１２１に格納されたプログラムに従って各種処理を行う。マイコン１２０は、各種処理を行う際に、ＲＡＭ１２２をワーク領域として使用する。マイコン１２０は、機器情報識別部１４３を含む。機器情報識別部１４３（機器識別部）は、詳細は後述するが、健康機器を識別する処理を行う。また、機器情報識別部１４３は、情報比較部としての機能も有し、詳細は後述するが、複数の健康機器の間で情報を比較する処理を行う。機器情報識別部１４３は、ＲＯＭ１２１に格納されたプログラムに従ってマイコン１２０によって実行されるソフトウェア（モジュール）である。タイマー部１２９はタイマーをカウントし、マイコン１２０がタイマー部１２９を呼び出したときに、現在の日付と日時に変換し、バス１２３を介して、マイコン１２０へ送信する。
【００３５】
情報記憶部１２８は、詳細は後述するが、情報等を記憶するメモリである。情報記憶部１２８には、後述の健康情報管理テーブルが記憶される。当該健康情報管理テーブルは、健康機器毎のプロフィール情報および健康情報を記憶するためのテーブルである。
【００３６】
操作指示送信部２００は、前述したように、例えば、リモコン、赤外線送信機等である。操作指示送信部２００には、図示しない複数のキーが設けられる。操作指示送信部２００に設けられるキーは、例えば、電源キー、数字キー等である。操作指示送信部２００に設けられた各キーには、異なるキーコードが割当てられる。例えば、電源キーのキーコードは、テレビジョン受信機１００の電源をオンにするためのキーコードである。
【００３７】
操作指示送信部２００に設けられた各キーのいずれかをユーザーが押下した場合、操作指示送信部２００に含まれる赤外線送信部（図示せず）は、キーコードを、操作指示受信部１２５へ送信する。当該キーコードは、押下されたキーを特定するためのコードである。すなわち、操作指示送信部２００は、ユーザーによる操作により、無線通信を使用して、操作指示としてのキーコードを操作指示受信部１２５へ送信する。すなわち、キーコードは、ユーザーによる指示（以下、操作指示ともいう）である。
【００３８】
操作指示受信部１２５は、操作指示送信部２００から送信されるキーコード（操作指示）を受信し、当該キーコードを、バス１２３を介して、マイコン１２０へ送信する。
【００３９】
（装置の動作）
次に、テレビジョン受信機１００の動作について説明する。一例として、番組視聴時におけるテレビジョン受信機１００の動作について説明する。
【００４０】
（番組視聴時の動作）
テレビジョン受信機１００を使用して、例えば、デジタル放送の番組の視聴が開始される場合について説明する。まず、ユーザーは、操作指示送信部２００の電源キーを押下する。これにより、操作指示送信部２００は、電源キーに割当てられたキーコードを、テレビジョン受信機１００へ送信する。操作指示受信部１２５は、操作指示送信部２００から送信されたキーコードを受信すると、当該キーコードを、マイコン１２０へ送信する。
【００４１】
マイコン１２０は、受信したキーコードが、電源キーのキーコードであることを認識した場合、テレビジョン受信機１００内に設けられた電源回路（図示せず）を起動し、夫々の回路に電源を供給するための処理を行う。
【００４２】
マイコン１２０は、チューナ部１０２が、任意のチャンネル周波数に同調し、復調処理を行うように、チューナ部１０２を制御する。任意のチャンネル周波数とは、例えば、前回の視聴の最後に選択されていたチャンネルの周波数である。
【００４３】
復調処理が完了すると、マイコン１２０は、ＴＳデコーダ１０４が処理対象のＴＳから、ＰＳＩ（Program Specific Information）を抽出して解析する。ＰＳＩとは、番組を特定するための情報である。
【００４４】
そして、マイコン１２０は、ＴＳデコーダ１０４が、ＰＳＩにより特定された番組の映像信号および音声信号を示すデータパケットをフィルタリングして、パーシャルＴＳを生成するよう、ＴＳデコーダ１０４を制御する。そして、ＴＳデコーダ１０４は、マイコン１２０の制御に従い、生成したパーシャルＴＳをＡＶデコーダ１０６へ送信する。
【００４５】
次に、マイコン１２０は、ＡＶデコーダ１０６が、パーシャルＴＳから映像信号ＳＧＶおよび音声信号ＳＧＡを生成するように、ＡＶデコーダ１０６を制御する。ここで、パーシャルＴＳには、デジタル放送の映像信号および音声信号が含まれる。
【００４６】
デジタル放送の映像信号は、例えば、ＭＰＥＧ（Moving Pictures Experts Group）２方式により圧縮されている。また、デジタル放送の音声信号は、ＡＡＣ（Advanced Audio Coding）方式により圧縮されている。そのため、ＡＶデコーダ１０６は、該ＡＶデコーダ１０６に内蔵されたＭＰＥＧ２デコーダおよびＡＡＣデコーダを使用して、パーシャルＴＳに含まれる映像信号および音声信号を、非圧縮の映像信号および音声信号に復号する。すなわち、ＡＶデコーダ１０６は、パーシャルＴＳに含まれる映像信号および音声信号をデコードすることにより、映像信号ＳＧＶおよび音声信号ＳＧＡを得る。
【００４７】
そして、ＡＶデコーダ１０６は、マイコン１２０の制御に従い、映像信号ＳＧＶを、グラフィックス重畳部１０９へ送信する。また、ＡＶデコーダ１０６は、音声信号ＳＧＡを効果音重畳部１１０へ送信する。
【００４８】
次に、マイコン１２０は、グラフィックス重畳部１０９が、映像信号ＳＧＶが示す映像に、グラフィックス画像を重畳するよう、グラフィックス重畳部１０９を制御する。なお、テレビジョン受信機１００の起動時において、重畳されるグラフィックス画像は、例えば、ＴＳに含まれるＳＩ（Service Information）情報から取得した局名情報、番組名などを示す画像である。グラフィックス重畳部１０９は、マイコン１２０の制御に従い、重畳された映像を示す映像信号を、ＡＶ制御部１１３へ送信する。
【００４９】
また、マイコン１２０は、効果音重畳部１１０が、音声信号ＳＧＡが示す音声に所定の効果音を重畳するよう、効果音重畳部１１０を制御する。なお、テレビジョン受信機１００の起動時において、重畳される効果音は、例えば、ユーザーに起動を通知するための音声、ビープ音などである。効果音重畳部１１０は、マイコン１２０の制御に従い、重畳された音声を示す音声信号を、ＡＶ制御部１１３へ送信する。
【００５０】
また、マイコン１２０は、ＡＶ制御部１１３が、受信した映像信号に基づく映像を表示部１１４が表示するための映像駆動信号を生成するように、ＡＶ制御部１１３を制御する。ＡＶ制御部１１３は、マイコン１２０の制御に従い、映像駆動信号を、表示部１１４へ送信する。表示部１１４は、映像駆動信号に基づく映像（番組）を表示する。
【００５１】
また、マイコン１２０は、ＡＶ制御部１１３が、受信した音声信号に基づく音声を、音声出力部１１５が出力するための音声駆動信号を生成するように、ＡＶ制御部１１３を制御する。ＡＶ制御部１１３は、マイコン１２０の制御に従い、音声駆動信号を、音声出力部１１５へ送信する。音声出力部１１５は、音声駆動信号に基づく音声を出力する。
【００５２】
以上により、テレビジョン受信機１００は、ユーザーに対し、現在放送されている番組の映像および音声を提示する。
【００５３】
ここで、ユーザーが、テレビジョン受信機１００が表示している番組を、任意のチャンネルの番組に変更することを望むとする。この場合、ユーザーは、操作指示送信部２００の所定キー（例えば、数字キー）を押下する。これにより、数字キーのキーコードが操作指示受信部１２５を経由してマイコン１２０に送信される。マイコン１２０は、受信したキーコードが数字キーのキーコードである事を認識する。そして、マイコン１２０は、ユーザーが指示したチャンネル周波数に同調させ、復調処理を開始するように、チューナ部１０２を制御する。復調処理以降の処理は、上述した視聴開始時における処理と同様である。
【００５４】
（健康情報受信）
次に、テレビジョン受信機１００を使用した、健康情報の受信および記録について説明する。ここで、健康情報とは、ユーザーの健康に関連する情報である。健康情報は、例えば、ユーザーの活動量、ユーザーの体組成等である。実施の形態１に係るテレビジョン受信機１００は、デジタル放送などを受信して、番組を表示部１１４で表示したり、音声出力部１１５から当該番組の音声を出力するだけでなく、健康情報を管理する機能を有する。
【００５５】
図１において、健康機器１３０，１３１は、テレビジョン受信機１００の外部に設けられている。健康機器１３０（第１健康機器）は、ユーザーが身につけることが可能な小型の機器である。健康機器１３０は、健康情報として、ユーザーの活動量を測定する機能を有する活動量計である。ユーザーの活動量とは、ユーザーの歩数、ユーザーの消費カロリー等である。すなわち、健康情報は、ユーザーの歩数、消費カロリー等である。
【００５６】
具体的には、健康機器１３０は、小型の角速度センサ（図示せず）などを内蔵している。健康機器１３０は、当該健康機器１３０をユーザーが身につけておくことで、角速度センサを利用して、ユーザーの歩数を測定する。
【００５７】
健康機器１３０は、メモリ１４０を含む。メモリ１４０には、プロフィール情報群Ｐ１が予め記憶されている。すなわち、健康機器１３０には、プロフィール情報群Ｐ１が予め設定されている。また、メモリ１４０には健康機器を特定するための機器情報Ｍ１が予め設定されている。さらに、メモリ１４０には、一時的に、健康機器１３０が測定した歩数が記憶される。すなわち、メモリ１４０には、健康情報としての歩数が記憶される。
【００５８】
プロフィール情報群Ｐ１は、複数のプロフィール情報から構成される。すなわち、メモリ１４０を含む健康機器１３０は、プロフィール情報を有する。当該プロフィール情報は、ユーザーのプロフィールの情報である。プロフィール情報は、例えば、ユーザーの名前およびユーザーの身体情報である。当該身体情報は、ユーザーの身体の状態であり、健康情報に対応する情報である。当該身体情報は、例えば、年齢、性別、身長、体重、体脂肪率などである。すなわち、プロフィール情報は、身体情報を一部に含むものである。
【００５９】
機器情報Ｍ１は、当該健康機器を特定するための情報、たとえば「活動量計」を示す情報である。
【００６０】
健康機器１３０は、さらに、当該健康機器１３０が測定した歩数から、プロフィール情報群Ｐ１が示す年齢、性別、身長、体重、体脂肪率等のプロフィール情報に基づいて、ユーザーの消費カロリーを算出する機能を有する。すなわち、健康機器１３０は、年齢、性別、身長、体重、体脂肪率等のプロフィール情報に基づいて、ユーザーの消費カロリーを算出する。
【００６１】
前述したように、消費カロリーは、健康情報である。すなわち、プロフィール情報は、健康機器１３０で測定された歩数から、消費カロリーを算出するために使用される。つまり、ユーザーのプロフィール情報は、健康機器１３０に測定された健康情報としての歩数を、別の健康情報である消費カロリーに変換するために、健康機器１３０により使用される。
【００６２】
また、健康機器１３０は、テレビジョン受信機１００と通信する機能を有する。具体的には、健康機器１３０は、有線インターフェイス１２６と有線により通信する機能を有する。健康機器１３０には、当該健康機器１３０を、有線インターフェイス１２６に接続するためのＵＳＢ端子（図示せず）が設けられる。
【００６３】
健康機器１３０は、有線インターフェイス１２６に接続された場合、メモリ１４０に記憶されている健康情報（歩数）、機器情報Ｍ１およびプロフィール情報群Ｐ１を、有線インターフェイス１２６へ送信する。これにより、テレビジョン受信機１００の有線インターフェイス１２６は、健康情報（歩数）、機器情報Ｍ１およびプロフィール情報群Ｐ１を受信する。すなわち、有線インターフェイス１２６は、健康機器１３０から、健康情報、機器情報Ｍ１およびプロフィール情報群Ｐ１を受信する受信部である。
【００６４】
そして、マイコン１２０は、受信した健康情報を、情報記憶部１２８に記憶させる。
【００６５】
また、テレビジョン受信機１００の有線インターフェイス１２６を介して、マイコン１２０は、情報記憶部１２８に記憶された体重および体脂肪率などを、健康機器１３０へ送信する。すなわち、有線インターフェイス１２６は、テレビジョン受信機１００から健康機器１３０へ体重および体脂肪率などを送信する送信部でもある。
【００６６】
健康機器１３１（第２健康機器）は、健康情報として、ユーザーの体組成を測定する機能を有する体組成計である。体組成とは、体重、体脂肪率、内臓脂肪、筋肉量および骨量などである。具体的には、健康機器１３１は、人間（ユーザー）の体内のインピーダンスを測定可能な装置などを内蔵する。
【００６７】
健康機器１３１は、さらに、メモリ１４１を含む。メモリ１４１には、プロフィール情報群Ｐ２が予め記憶されている。すなわち、健康機器１３１には、プロフィール情報群Ｐ２が予め設定されている。プロフィール情報群Ｐ２は、プロフィール情報群Ｐ１と同様に、複数のプロフィール情報から構成される。すなわち、メモリ１４１を含む健康機器１３１は、プロフィール情報を有する。
【００６８】
なお、プロフィール情報群Ｐ２と、プロフィール情報群Ｐ１とは必ずしも一致しない。例えば、仮に、健康機器１３０のメモリ１４０は、性別、年齢、身長、体重および体脂肪率から構成されるプロフィール情報群Ｐ１を記憶しているとする。この場合、健康機器１３１のメモリ１４１は、プロフィール情報群Ｐ１の複数のプロフィール情報と異なる複数のプロフィール情報から構成されるプロフィール情報群Ｐ２を記憶している。当該プロフィール情報群Ｐ２を構成する複数のプロフィール情報は、例えば、名前、性別、年齢および身長である。すなわち、健康機器１３０，１３１という複数種類の健康機器は、異なるプロフィール情報を有する。
【００６９】
また、メモリ１４１には健康機器を特定するための機器情報Ｍ２が予め設定されている。機器情報Ｍ２は、当該健康機器を特定するための情報、例えば「体組成計」を示す情報である。
【００７０】
また、メモリ１４１には、一時的に、健康機器１３１が測定した体重が記憶される。すなわち、メモリ１４１には、健康情報としての体重が記憶される。
【００７１】
プロフィール情報群Ｐ２は、プロフィール情報群Ｐ１と同様、複数のプロフィール情報から構成される。すなわち、メモリ１４１を含む健康機器１３１は、プロフィール情報を有する。プロフィール情報群Ｐ２を構成する各プロフィール情報は、例えば、ユーザーの名前およびユーザーの身体情報である。当該身体情報は、例えば、年齢、性別および身長などである。
【００７２】
健康機器１３１は、さらに、当該健康機器１３１が測定した体重から、予め設定されたプロフィール情報群Ｐ２に含まれる年齢、性別および身長等に基づいて、ユーザーの体脂肪率、内臓脂肪、筋肉量および骨量などを測定する機能を有する。
【００７３】
また、健康機器１３１は、テレビジョン受信機１００と通信する機能を有する。健康機器１３１は、無線規格に従った無線通信を行う機能を有する。当該無線規格は、例えば、Ｂｌｕｅｔｏｏｔｈ（登録商標）等の規格である。健康機器１３１は、無線通信を行うための無線インターフェイス（図示せず）を有する。
【００７４】
健康機器１３１は、無線通信を行って、無線インターフェイス１２７と通信する。例えば、健康機器１３１は、無線通信を行って、メモリ１４１に記憶されている健康情報（例えば、体重および体脂肪率）、機器情報Ｍ２およびプロフィール情報群Ｐ２を、無線インターフェイス１２７へ送信する。これにより、テレビジョン受信機１００は、健康情報（例えば、体重および体脂肪率）、機器情報Ｍ２およびプロフィール情報群Ｐ２を受信する。マイコン１２０は、受信した健康情報を、情報記憶部１２８に記憶させる。
【００７５】
前述の通り、健康機器１３０が測定した歩数などの健康情報を、テレビジョン受信機１００へ送信（転送）するためには、健康情報が一次的に記憶された健康機器１３０のＵＳＢ端子を、有線インターフェイス１２６に接続する。
【００７６】
再び、図２を参照して、テレビジョン受信機１００の側面には、さらに、健康機器１３０を接続するための接続端子（図示せず）が設けられる。当該接続端子は、例えば、ＵＳＢ端子である。
【００７７】
次に、健康機器１３０をテレビジョン受信機１００に接続した場合の処理について説明する。テレビジョン受信機１００の接続端子に健康機器１３０が接続された場合、有線インターフェイス１２６は当該接続を検知し、検知した旨を、マイコン１２０へ伝達する。
【００７８】
この場合、マイコン１２０は、有線インターフェイス１２６を制御して、健康機器１３０のメモリ１４０に記憶されている健康情報、機器情報Ｍ１およびプロフィール情報群Ｐ１を取得する。そして、マイコン１２０は、取得した健康情報を、情報記憶部１２８に記憶させる。このとき、マイコン１２０の機器情報識別部１４３は、機器情報Ｍ１に対応する機器を特定し、取得した健康情報を、情報記憶部１２８に記憶させる。これにより、情報記憶部１２８は、健康情報を記憶する。
【００７９】
次に、健康機器１３１が、健康情報（例えば、体重および体脂肪率）、機器情報Ｍ２およびプロフィール情報群Ｐ２を、テレビジョン受信機１００へ送信するための具体的な処理について説明する。
【００８０】
前述の通り、健康機器１３１で測定された体重などの健康情報を、テレビジョン受信機１００へ送信するためには、当該健康情報が一時的に記憶された健康機器１３１の無線インターフェイスから、テレビジョン受信機１００の無線インターフェイス１２７に対して、体重と体脂肪率などの健康情報、機器情報Ｍ２およびプロフィール情報群Ｐ２を示す無線信号が送信される。
【００８１】
図２において、テレビジョン受信機１００の前面には、例えば、無線アンテナ（図示せず）が設けられる。無線インターフェイス１２７は、当該無線アンテナを介して、健康機器１３１から送信される無線信号を受信する。すなわち、無線インターフェイス１２７は、健康機器１３１から、無線信号が示す健康情報、機器情報Ｍ２およびプロフィール情報群Ｐ２を受信する受信部である。
【００８２】
無線インターフェイス１２７は、無線信号の受信を検知した場合、検知した旨を、バス１２３を介して、マイコン１２０へ伝達する。この場合、マイコン１２０は、無線インターフェイス１２７を制御して、当該無線信号を解析し、無線信号に含まれた健康情報、機器情報Ｍ２、およびプロフィール情報群Ｐ２を取得する。そして、マイコン１２０は、取得した健康情報を、情報記憶部１２８に記憶させる。このとき、マイコン１２０の機器情報識別部１４３は、機器情報Ｍ２に対応する機器を特定し、取得した健康情報を、情報記憶部１２８に記憶させる。
【００８３】
以下においては、プロフィール情報群Ｐ１およびプロフィール情報群Ｐ２の各々を、総括的に、プロフィール情報群Ｐともいう。
【００８４】
また、機器情報Ｍ１および機器情報Ｍ２の各々を、総括的に、機器情報Ｍともいう。
【００８５】
図２に示すように、テレビジョン受信機１００は、健康機器１３０または健康機器１３１から、健康情報、機器情報Ｍおよびプロフィール情報群Ｐを取得した場合、画面１１４ａに健康情報取得メッセージ２０２を表示してもよい。また、テレビジョン受信機１００は、健康情報取得効果音２０３を、音声出力部１１５から出力するように構成してもよい。健康情報取得効果音２０３は、例えば、「データ取得が完了しました」という音声である。
【００８６】
次に、健康情報を表示した健康管理画像について説明する。図３は、本発明の実施の形態１に係るテレビジョン受信機１００の表示部１１４が表示する健康管理画像の一例を示す図である。図３（ａ）は、健康管理画像Ｇ１１の一例を示す。健康管理画像Ｇ１１は、健康機器１３１により測定され、情報記憶部１２８に記憶された健康情報を利用して、体重および体脂肪率の推移を示している。
【００８７】
図３（ｂ）は、健康管理画像Ｇ１０の一例を示す。健康管理画像Ｇ１０は、健康機器１３０により測定され、情報記憶部１２８に記憶された健康情報を利用して、歩数および消費カロリーの推移を示している。
【００８８】
健康管理画像Ｇ１０，Ｇ１１の各々は、例えば、操作指示送信部２００に設けられた所定キーをユーザーが操作することにより、テレビジョン受信機１００の表示部１１４が表示するように構成される。なお、外部の健康機器から、どのような情報を取得して、どのように表示するかは、健康管理画像Ｇ１０，Ｇ１１の形態に限定されない。
【００８９】
（機器情報識別処理）
次に、本実施の形態に係るテレビジョン受信機１００が行う当該健康機器を識別する処理（以下、機器情報識別処理ともいう）について説明する。機器情報識別処理は、主に、機器情報識別部１４３により行われる。前述したように、機器情報識別部１４３は、マイコン１２０によって実行されるソフトウェア（モジュール）である。そのため、機器情報識別処理を行うために、新たなハードウェアなどの追加は必要ない。
【００９０】
前述したように、情報記憶部１２８には、健康情報管理テーブルが記憶される。当該健康情報管理テーブルは、ユーザーのプロフィール情報および健康情報を記憶するためのテーブルである。
【００９１】
図４は、健康情報管理テーブルの一例を模式的に示す図である。図４が示す健康情報管理テーブルは、健康情報が記憶されていない初期状態の健康情報管理テーブルである。
【００９２】
図４を参照して、健康情報管理テーブルは、健康機器ごとの健康機器領域６１１，６１２を有する。健康機器領域６１１，６１２の各々は、健康情報管理テーブルの行方向の領域である。健康機器領域６１１，６１２は、健康機器毎のユーザーのプロフィール情報群を記憶するための領域である。
【００９３】
以下においては、健康機器領域６１１，６１２の各々を、総括的に、健康機器領域ともいう。すなわち、健康情報管理テーブルは、２つの健康機器領域を有している。つまり、健康情報管理テーブルを記憶している情報記憶部１２８を有するテレビジョン受信機１００は、２つの健康機器領域を有している。
【００９４】
なお、健康情報管理テーブルが有する健康機器領域の数は、２つに限定されない。健康情報管理テーブルが有する健康機器領域の数は、３つ以上であってもよい。
【００９５】
また、健康情報管理テーブルはユーザー１人に対し１つとなり、健康機器で複数のユーザーを管理できる機器がある場合は、テレビジョン受信機１００は健康情報管理テーブルをユーザー毎に情報記憶部１２８に記憶してもよい。
【００９６】
各健康機器領域は、領域６０１〜６１０を有する。領域６０１〜６０９の各々は、ユーザーのプロフィール情報を記憶するための領域である。領域６１０は、日付情報を記憶するための領域である。
【００９７】
領域６０１は、予め設定された健康機器識別名を記憶するための領域である。健康機器識別名とは、健康機器を識別する名称である。なお、健康情報管理テーブルが有する各健康機器領域には、異なる健康機器識別名が予め設定される。
【００９８】
領域６０２は、当該領域６０２に対応する健康機器領域が使用中であるか否かを示す状態の情報を記憶するための領域である。領域６０２の状態が「未使用」である場合、領域６０２に対応する健康機器領域が使用されていないことが示される。領域６０２の状態が「使用中」である場合、領域６０２に対応する健康機器領域が使用されていることが示される。なお、初期状態の健康情報管理テーブルにおける全ての領域６０２は、状態が「未使用」を示す。
【００９９】
領域６０３は、ユーザーの名前を記憶するための領域であるが、健康機器１３０ではプロフィール情報より名前を取得できないときは「−」としておく。領域６０４は、ユーザーの年齢を記憶するための領域である。領域６０５は、ユーザーの身長を記憶するための領域である。領域６０６は、ユーザーの性別を記憶するための領域である。
【０１００】
また、領域６０７，６０８，６０９は、健康機器１３０，１３１等により測定された健康情報を記憶するための領域である。具体的には、活動量計である健康機器１３０のときは、領域６０１の健康機器識別名の活動量計の健康機器領域の領域６０７に、測定された健康情報である歩数を記憶する。領域６０８はプロフィール情報より体重、および領域６０９はプロフィール情報より体脂肪率を記憶する。
【０１０１】
また、体組成計である健康機器１３１の場合は、領域６０１の健康機器識別名の体組成計の健康機器領域の領域６０８に、測定された健康情報である体重を記憶する領域である。また、領域６０９は測定された健康情報である体脂肪率を記憶する領域である。なお、領域６０７は未使用となり、ここでは「−」としておく。以下においては、領域６０７，６０８，６０９の各々を、健康情報領域ともいう。
【０１０２】
領域６１０は健康機器領域が更新（記憶）されたときに、更新された日付情報を記憶する領域となる。
【０１０３】
図５は、機器情報識別処理のフローチャートの一部であり、図６は、機器情報識別処理のフローチャートの一部であり、図７は、機器情報識別処理のフローチャートの残部である。前述したように、機器情報識別処理は、主に、機器情報識別部１４３により行われる。
【０１０４】
以下においては、健康機器１３０が、健康情報（例えば、歩数）およびプロフィール情報群Ｐ１を、テレビジョン受信機１００へ送信する状況を、通信状況Ａともいう。また、以下においては、健康機器１３１が、無線通信を行って、健康情報（例えば、体重および体脂肪率）およびプロフィール情報群Ｐ２を、無線インターフェイス１２７へ送信する状況を、通信状況Ｂともいう。
【０１０５】
機器情報識別処理の各ステップについて説明する。
【０１０６】
ステップＳ４０１では、テレビジョン受信機１００が、健康情報、機器情報Ｍおよびプロフィール情報群Ｐを受信する。例えば、通信状況Ａでは、有線インターフェイス１２６が、健康機器１３０から、健康情報、機器情報Ｍ１およびプロフィール情報群Ｐ１を受信する。これにより、機器情報識別部１４３は、有線インターフェイス１２６を介して、健康情報、機器情報Ｍ１およびプロフィール情報群Ｐ１を受信する。
【０１０７】
なお、通信状況Ｂでは、無線インターフェイス１２７が、健康機器１３１から、健康情報、機器情報Ｍ２およびプロフィール情報群Ｐ２を受信する。これにより、機器情報識別部１４３は、無線インターフェイス１２７を介して、健康情報、機器情報Ｍ２およびプロフィール情報群Ｐ２を受信する。
【０１０８】
前述したように、機器情報Ｍ１および機器情報Ｍ２の各々を、総括的に、機器情報Ｍといい、またプロフィール情報群Ｐ１およびプロフィール情報群Ｐ２の各々を、総括的に、プロフィール情報群Ｐともいう。
【０１０９】
ステップＳ４０２では、機器情報識別部１４３が、受信した機器情報Ｍより、健康機器を識別する。例えば、識別した健康機器が活動量計の場合は、活動量計の健康情報管理テーブルに対して以降のステップを処理し、また識別した健康機器が体組成計の場合は、体組成計の健康情報管理テーブルに対して以降のステップの処理を行う。
【０１１０】
（体組成計からの受信処理）
以降のステップは、識別した健康機器が体組成計の場合について説明する。ステップＳ４０３では、該当する健康機器の健康情報管理テーブルの領域６０２が、「使用中」であるか、または「未使用」であるかを判定する。「未使用」であるならば（ステップＳ４０３においてＮＯ）、処理はステップＳ４０４に移行する。一方、ステップＳ４０３において「使用中」であるならば（ステップＳ４０３においてＹＥＳ）、処理はステップＳ４５０へ移行する。
【０１１１】
ステップＳ４０４では、機器情報識別部１４３が、受信したプロフィール情報群Ｐ２に「名前」、「年齢」、「身長」および「性別」が含まれているか否かを判定し、含まれているプロフィール情報を体組成計の健康情報管理テーブルの領域６０３〜６０６に記憶し、また領域６０２を「使用中」と記憶し、処理はステップＳ４０５へ移行する。
【０１１２】
ステップＳ４５０では、機器情報識別部１４３が、受信したプロフィール情報群Ｐ２に「名前」、「年齢」および「身長」が含まれているか否かを判定し、含まれているプロフィール情報を体組成計の健康情報管理テーブルの領域６０３〜６０５と比較をする。含まれているプロフィール情報のいずれかが一致したときは（ステップＳ４５０においてＹＥＳ）、処理はステップＳ４０５へ移行する。プロフィール情報が一致しないときは（ステップＳ４５０においてＮＯ）、処理はステップＳ４６０へ移行する。
【０１１３】
ステップＳ４５０でプロフィール情報が一致しないときは、新しいプロフィールを有する新規のユーザーの健康情報を記憶させる状況であると考えられる。
【０１１４】
そのため、ステップＳ４６０で、手動によりユーザーが新規の健康情報を記憶させるかどうかの判定が行われる。具体的には、例えば、表示部１１４が、新規のユーザーの健康情報を記憶するかどうかの選択をするためのメニュー画像Ａを表示する。ユーザーは、メニュー画像Ａを参照しながら、操作指示送信部２００を使用して、新規のユーザー登録を行う、またはユーザー登録を行わない、のいずれかを選択する。ここで、新規のユーザー登録を行うときは（ステップＳ４６０においてＹＥＳ）、ステップＳ４６１へ移行する。ユーザー登録を行わないときは（ステップＳ４６０においてＮＯ）、その後、識別した健康機器が体組成計の場合の機器情報識別処理は終了する。
【０１１５】
ステップＳ４６１では、機器情報識別部１４３が、情報記憶部１２８に、新しいユーザーの健康情報管理テーブルを確保して、ステップＳ４０４に移行する。
【０１１６】
ステップＳ４０５では、機器情報識別部１４３が、受信した健康情報の「体重」を領域６０８に記憶させ、「体脂肪率」を領域６０９に記憶させる。さらに、マイコン１２０がタイマー部１２９から日付情報を読み込み、機器情報識別部１４３が「日付」を領域６１０に記憶させる。その後、識別した健康機器が体組成計の場合の機器情報識別処理は終了する。以上の処理により、体組成計の健康情報管理テーブルの情報を更新することができる。
【０１１７】
（体組成計からの受信処理の変形例）
なお、テレビジョン受信機１００が、無線通信を使用して、各種情報を健康機器１３１から受信する場合、通信状況によっては、テレビジョン受信機１００は、情報を正確に受信できない場合がある。そこで、図５の機器情報識別処理において、ステップＳ４０４とステップＳ４５０の直前に、ステップＳ４４９を追加する構成（以下、変形構成Ｎともいう）としてもよい。変形構成Ｎの機器情報識別処理では、ステップＳ４７０がさらに追加される。
【０１１８】
変形構成ＮのステップＳ４４９では、機器情報識別部１４３が、１つ以上の情報を正しく受信できたか否かを判定する。変形構成Ｎでは、機器情報識別部１４３が１つ以上の情報を正しく受信できた場合（ステップＳ４４９においてＹＥＳ）、処理はステップＳ４５０へ移行する。また、機器情報識別部１４３が１つ以上の情報を正しく受信できなかった場合（ステップＳ４４９においてＮＯ）、処理はステップＳ４７０へ移行する。
【０１１９】
ステップＳ４４９においてＮＯの場合、すなわち、情報が１つも取得できていなかった場合は、プロフィール情報の取得に失敗している。そのため、ステップＳ４７０において、テレビジョン受信機１００は、図２に示すように、表示部１１４の画面１１４ａに、健康情報の取得に失敗した旨を示すメッセージを表示する。その後、変形構成Ｎの機器情報識別処理は終了する。
【０１２０】
（活動量計からの受信処理）
以降のステップは、ステップＳ４０２で識別した健康機器が活動量計の場合について説明する。図６に示すように、ステップＳ５０３では、該当する健康機器の健康情報管理テーブルの領域６０２が、「使用中」であるかまたは「未使用」であるかを判定する。「未使用」であるならば（ステップＳ５０３においてＮＯ）、処理はステップＳ５０４に移行する。一方、ステップＳ５０３において「使用中」ならば（ステップＳ５０３においてＹＥＳ）、処理はステップＳ５５０へ移行する。
【０１２１】
ステップＳ５０４では、機器情報識別部１４３が、受信したプロフィール情報群Ｐ１に「名前」、「年齢」、「身長」および「性別」が含まれているか否かを判定し、含まれているプロフィール情報を活動量計の健康情報管理テーブルの領域６０３〜６０６，６０８，６０９に記憶させ、領域６０２を「使用中」と記憶させる。さらに、マイコン１２０がタイマー部１２９から日付情報を読み込み、機器情報識別部１４３が「日付」を領域６１０に記憶させた後、識別した健康機器が活動量計の場合の機器情報識別処理は終了する。
【０１２２】
ステップＳ５５０では、機器情報識別部１４３が、受信したプロフィール情報群Ｐ１に「名前」、「年齢」および「身長」が含まれているか否かを判定し、含まれているプロフィール情報を活動量計の健康情報管理テーブルの領域６０３〜６０６と比較をする。含まれているプロフィール情報のいずれかが一致したときは（ステップＳ５５０においてＹＥＳ）、処理はステップＳ５０５へ移行する。プロフィール情報が一致しないときは（ステップＳ５５０においてＮＯ）、処理はステップＳ５６０へ移行する。
【０１２３】
ステップＳ５５０においてプロフィール情報が一致しないときは、新しいプロフィールを有する新規のユーザーの健康情報を記憶させる状況であると考えられる。
【０１２４】
そのため、ステップＳ５６０において、手動によりユーザーが新規の健康情報を記憶させるかどうかの判定が行われる。具体的には、例えば、表示部１１４が、新規のユーザーの健康情報を記憶するかどうかの選択をするためのメニュー画像Ａを表示する。ユーザーは、メニュー画像Ａを参照しながら、操作指示送信部２００を使用して、新規のユーザー登録を行う、またはユーザー登録を行わない、のいずれかを選択する。ここで、新規のユーザー登録を行うときは（ステップＳ５６０においてＹＥＳ）、ステップＳ５６１へ移行する。ユーザー登録を行わないときは（ステップＳ５６０においてＮＯ）、その後、識別した健康機器が活動量計の場合の機器情報識別処理は終了する。
【０１２５】
ステップＳ５６１では、機器情報識別部１４３が、情報記憶部１２８に、新しいユーザーの健康情報管理テーブルを確保して、ステップＳ５０４に移行する。
【０１２６】
ステップＳ５０５では、機器情報識別部１４３が、受信した健康情報の「歩数」を領域６０７に記憶させ、ステップＳ５０６へ移行する。
【０１２７】
ステップＳ５０６では、機器情報識別部が領域６０８，６０９に記憶された「体重」および「体脂肪率」と受信したプロフィール情報群Ｐ１に含まれる「体重」および「体脂肪率」を比較し、異なる場合は、ステップＳ５０７へ移行する。同じ場合は、その後、識別した健康機器が活動量計の場合の機器情報識別処理は終了する。
【０１２８】
ステップＳ５０７では、機器情報識別部１４３がプロフィール情報群Ｐ１とともに受信した日付情報に示される「日付」を領域６１０に記憶させる。ここで、当該日付情報は、プロフィール情報群Ｐ１に含まれる「歩数」を活動量計のメモリ１３０に記憶させた日付である。なお、当該日付情報は、活動量計のメモリ１３０に記憶され、活動量計からプロフィール情報群Ｐ１とともに受信される。そして、機器情報識別部１４３は、次に説明するステップＳ７０１に移行する。以上の処理により、活動量計の健康情報管理テーブルの情報を更新することができる。
【０１２９】
（活動量計への送信処理）
次に、本実施の形態に係るテレビジョン受信機１００が行う当該健康機器へ送信する処理（以下、機器送信処理ともいう）について説明する。機器送信処理は、主に、機器情報識別部１４３により行われる。前述したように、機器情報識別部１４３は、マイコン１２０によって実行されるソフトウェア（モジュール）である。そのため、機器送信処理を行うために、新たなハードウェアなどの追加は必要ない。
【０１３０】
前述したように、ステップＳ５０７以降の処理について、図７を用いて説明する。また、機器送信処理は、主に、機器情報識別部１４３により行われる。
【０１３１】
以下においては、テレビジョン受信機１００が、プロフィール情報群Ｐ１を、健康機器１３０へ送信する状況を、通信状況Ｃともいう。以下、体組成計の受信処理および活動量計の受信処理が終了しているとして機器送信処理の各ステップについて説明する。
【０１３２】
ステップＳ７０１では、機器情報識別部１４３が活動量計の健康情報管理テーブルの領域６１０および体組成計の健康情報管理テーブルの領域６１０を読み込み、日付情報を比較する。
【０１３３】
活動量計の領域６１０の日付情報が新しい場合または同じ場合は、何もせずに機器送信処理は終了する。
【０１３４】
体組成計の領域６１０の日付情報が新しい場合、すなわち、活動量計の領域６１０の日付情報が古い場合は、ステップＳ７０２に移行する。ステップＳ７０２では、機器情報識別部１４３が体組成計の健康情報管理テーブルの領域６０８，６０９を読込み、読み込んだ「体重」および「体脂肪率」を活動量計の健康情報管理テーブルの領域６０８，６０９へ記憶させる。これとあわせて、体組成計の健康情報管理テーブルの領域６１０を読込み、読み込んだ「日付」を活動量計の健康情報管理テーブルの領域６１０へ記憶させる。そして、機器情報識別部１４３は、活動量計の健康情報管理テーブルの領域６０８，６０９に記憶させた「体重」および「体脂肪率」について有線インターフェイス１２６を介して健康機器１３０へ送信する。このとき、健康機器１３０は、受信した「体重」および「体脂肪率」をメモリ１４０に記憶させる。その後、機器送信処理は終了する。以上の処理により、活動量計の健康情報管理テーブルの情報を更新することができるとともに、健康機器１３０に最新の「体重」および「体脂肪率」を設定することができる。
【０１３５】
（機器送信処理の変形例）
次に、機器送信処理の変形例について説明する。ステップＳ７０１で、活動量計の領域６１０の日付情報が新しい場合または同じ場合に活動量計の６０８と体組成計の６０８の値が３ｋｇ以上異なる場合がある。そこで、図７の機器送信処理が終了する直前において、ステップＳ７１０を追加する構成（以下、変形構成Ｍともいう）としてもよい。
【０１３６】
ステップＳ７１０では、手動によりユーザーが活動量計の領域６０８を体組成計の領域６０８で記憶させるかどうかの判定が行われる。具体的には、例えば、表示部１１４が、ユーザーの健康情報を記憶するかどうかの選択をするためのメニュー画像Ａを表示する。ユーザーは、メニュー画像Ａを参照しながら、操作指示送信部２００を使用して、記憶する操作を行う、または記憶する操作を行わない、のいずれかを選択する。ここで、記憶する操作を行うときは、ステップＳ７０２へ移行する。記憶する操作を行わないときは、その後、機器送信処理は終了する。
【０１３７】
なお、活動量計の領域６０８と体組成計の領域６０８の値が３ｋｇ以上異なると説明したが、３ｋｇに限定はされない。活動量計の領域６０８と体組成計の領域６０８の値の差は３ｋｇ未満であってもよい。
【０１３８】
また、ステップＳ４５０およびステップＳ５５０のプロフィールの判定処理においては、プロフィール情報に基づいて、ユーザーの識別を行うと説明したがこれに限定されない。すなわち、本実施の形態で使用するプロフィール情報は、テレビジョン受信機１００がユーザーを識別するために、設定された情報でなくてもよい。
【０１３９】
例えば、測定した歩数を消費カロリーに換算するために、活動量計である健康機器１３０に対し、年齢（あるいは生年月日）、性別、身長および体重などの情報が設定されていることが一般的である。
【０１４０】
また、測定した体内インピーダンスおよび体重などを、体脂肪率、内臓脂肪、筋肉量および骨量などに換算するために、体組成計である健康機器１３１に対し、年齢（あるいは生年月日）、性別、身長および体重などの情報が設定されていることが一般的である。
【０１４１】
さらに、健康機器１３１は、１人のユーザーが１台の使用を前提とした健康機器１３０と異なり、複数のユーザーで共用することが前提である。そのため、健康機器１３１には、さらに、名前（あるいはニックネーム、ユーザー番号等）も設定されている。具体的には、健康機器１３１のメモリ１４１に記憶されているプロフィール情報Ｐ２は、さらに、ユーザーの名前を含んでいる。
【０１４２】
本実施の形態においては、健康機器１３０および健康機器１３１の各々において予め設定されたこれらのプロフィール情報をそのまま使用する。そのため、新たにテレビジョン受信機１００に対して、ユーザーのプロフィール情報を設定するなどの追加操作は不要である。
【０１４３】
なお、本実施の形態では、プロフィール情報として、ユーザーを正確に特定しやすい「名前」、「年齢」および「身長」を用いて、ユーザーを識別すると説明した。これは、家庭内においてテレビジョン受信機１００が家族間で共有される場合が多いことに配慮したものである。そのため、名前（ニックネーム等も含む）が正しく設定されていれば、家族間で「名前」が重複することは、ほぼない。
【０１４４】
しかし、健康機器の種類によっては、名前が設定されないものや、イニシャルのみが設定される場合もある。そのため、少なくとも、健康機器において、年齢（あるいは生年月日）が正しく設定されていれば、ユーザーを正しく識別できる確率が向上する。
【０１４５】
また、本実施の形態においては、プロフィール情報の中で該当する「名前」、「年齢」および「身長」のいずれかひとつが、情報記憶部１２８に記憶されている場合に、情報記憶部１２８において該当する領域に情報を追加するものとしたが、これに限定されない。例えば、複数のプロフィール情報が一致した場合に、情報記憶部１２８において該当する領域に追加する構成としてもよい。また、図５と図６のステップＳ４５０およびステップＳ５５０のプロフィールの判定処理では、性別などもプロフィール情報として使用するようにしてもよい。
【０１４６】
以上のように、テレビジョン受信機１００の受信部である有線インターフェイス１２６または無線インターフェイス１２７は、各健康機器から、当該健康機器が有するプロフィール情報を受信する。ここで、当該各健康機器は、健康機器１３０，１３１である。そして、機器情報識別部１４３は、各健康機器毎に、当該健康機器から受信したプロフィール情報に基づいて、ユーザーを識別する。すなわち、本実施の形態では、異なる健康機器１３０，１３１間において、ユーザーが紐付けされている。
【０１４７】
さらに、機器情報識別部１４３は、健康機器１３０のプロフィール情報である体重および体脂肪率を、健康機器１３１で測定した体重および体脂肪率で更新することができる。
【０１４８】
以上説明したように、実施の形態１に係るテレビジョン受信機１００では、受信部である有線インターフェイス１２６および無線インターフェイス１２７は、健康機器１３０および健康機器１３１から、健康情報、機器情報およびプロフィール情報を受信する。情報比較部としても機能する機器情報識別部１４３は、健康機器１３０の日付情報と健康機器１３１の日付情報とを比較し、比較結果に基づいて、有線インターフェイス１２６は、比較された健康機器１３１の日付情報が示す日付に記憶された健康機器１３１の健康情報を健康機器１３０のプロフィール情報の一部として健康機器１３０へ送信する。
【０１４９】
すなわち、時間の経過とともに変化する体重および体脂肪率などをユーザー自身が健康機器１３０である活動量計に設定することなく、健康機器１３１である体組成計から受信した健康情報をテレビジョン受信機１００が活動量計に送信する。これにより、ユーザー自身が活動量計に設定する手間を省くことができる。
【０１５０】
前述の関連技術Ａでは、家庭で利用している健康機器とは別に病院などでＭＲＩ（magnetic resonance imaging）、ＣＴ（Computed Tomography）またはＤＥＸＡ（Dual Energy X-Ray Absorptiometry）等による測定が必要となる。そのため、家庭で利用している健康機器とは別に測定する必要があり、体組成計で換算されて表示される値をより正確に行うためのコストが大きく、活動量計に設定する体重および体脂肪率などはユーザー自身が定期的に正しい値を設定する必要がある。つまり、時間の経過とともに変化する体重および体脂肪率などをユーザー自身が活動量計に設定する手間を省くことはできないという問題がある。
【０１５１】
一方、本実施の形態に係るテレビジョン受信機１００は、上記のように構成されるため、関連技術Ａの上記問題を解決することができる。
【０１５２】
また、情報比較部としても機能する機器情報識別部１４３は、比較結果において健康機器１３０の日付情報の方が古い場合、有線インターフェイス１２６は、比較された健康機器１３１の日付情報が示す日付に記憶された健康機器１３１の健康情報を健康機器１３０のプロフィール情報の一部として健康機器１３０へ送信する。したがって、健康機器１３０，１３１の日付情報に基づいて、体重および体脂肪率などについて体組成計が測定した最新の数値を活動量計に自動で設定することができる。
【０１５３】
なお、機器情報識別部１４３は、マイコン１２０によって実行されるソフトウェアで構成されるとしたがこれに限定されず、機器情報識別部１４３は、ハードウェアで実現されてもよい。また、情報記憶部１２８は、ＲＡＭ１２２の一部として構成してもよい。
【０１５４】
＜実施の形態２＞
次に、実施の形態２に係るテレビジョン受信機１００について説明する。図８は、実施の形態２の図７相当図である。なお、実施の形態２において、実施の形態１で説明したものと同一の構成要素については同一符号を付して説明は省略する。
【０１５５】
実施の形態２では、機器送信処理が実施の形態１の場合と異なっている。図６のステップＳ５０７の処理を行った後、図８に示すように、ステップＳ７０１Ａでは、機器情報識別部１４３が活動量計と体組成計の「体重」または「体脂肪率」を比較する。すなわち、機器情報識別部１４３は、活動量計の「体重」と体組成計の「体重」、または、活動量計の「体脂肪率」と体組成計の「体脂肪率」を比較する。
【０１５６】
ステップＳ７０１Ａにおいて異なる場合は、ステップＳ７０２へ移行する。ステップＳ７０２では、機器情報識別部１４３が体組成計の健康情報管理テーブルの領域６０８，６０９を読込み、読み込んだ「体重」および「体脂肪率」を活動量計の健康情報管理テーブルの領域６０８，６０９へ記憶させる。これとあわせて、体組成計の健康情報管理テーブルの６１０を読込み、読み込んだ「日付」を活動量計の健康情報管理テーブルの領域６１０へ記憶させる。その後、機器送信処理は終了する。但し、ステップＳ７０１Ａにおいて同じ場合は、機器送信処理は終了する。なお、ステップＳ７０１Ａにおいては所定の誤差を許容するようにしてもよい。例えば、機器情報識別部１４３は、活動量計と体組成計の「体重」または「体脂肪率」の整数値のみを比較対象とし、小数点以下は比較対象としないようにすることも可能である。
【０１５７】
以上のように、実施の形態２に係るテレビジョン受信機１００では、受信部である有線インターフェイス１２６および無線インターフェイス１２７は、健康機器１３０および健康機器１３１から、健康情報、機器情報およびプロフィール情報を受信する。情報比較部としても機能する機器情報識別部１４３は、健康機器１３０のプロフィール情報と健康機器１３１の健康情報とを比較し、機器情報識別部１４３の比較結果に基づいて、有線インターフェイス１２６は、比較された健康機器１３１の健康情報を健康機器１３０のプロフィール情報の一部として健康機器１３０へ送信する。
【０１５８】
すなわち、時間の経過とともに変化する体重および体脂肪率などをユーザー自身が健康機器１３０である活動量計に設定することなく、健康機器１３１である体組成計から受信した健康情報をテレビジョン受信機１００が活動量計に送信する。これにより、ユーザー自身が活動量計に設定する手間を省くことができる。
【０１５９】
また、情報比較部として機能する機器情報識別部１４３は、健康機器１３０の身体情報と健康機器１３１の健康情報とを比較し、比較された情報が異なる場合、有線インターフェイス１２６は、比較された健康機器１３１の健康情報を健康機器１３０のプロフィール情報の一部として健康機器１３０へ送信する。したがって、健康機器１３０の身体情報と健康機器１３１の健康情報に基づいて、体重および体脂肪率などについて体組成計が測定した最新の数値を活動量計に自動で設定することができる。
【０１６０】
（その他の変形例）
以上、本発明に係るテレビジョン受信機１００について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０１６１】
また、テレビジョン受信機１００は、図１に示される全ての構成要素を含まなくてもよい。すなわち、テレビジョン受信機１００は、本発明の効果を実現できる最小限の構成要素のみを含めばよい。
【０１６２】
また、テレビジョン受信機１００は、２つ以上の健康機器と通信可能に構成されていてもよい。
【０１６３】
また、本発明は、テレビジョン受信機１００が備える特徴的な構成部の動作をステップとする機器情報識別方法として実現してもよい。また、本発明は、当該機器情報識別方法に含まれる各ステップをコンピュータが実行してもよい。また、本発明は、そのような機器情報識別方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１６４】
上記実施の形態で用いた全ての数値は、本発明を具体的に説明するための一例の数値である。すなわち、本発明は、上記実施の形態で用いた各数値に制限されない。
【０１６５】
また、本発明に係る機器情報識別方法は、図５〜図７、または図５と図６と図８のフローチャートの一部または全てに相当する。本発明に係る機器情報識別方法は、図５〜図７、または図５と図６と図８における、対応する全てのステップを必ずしも含む必要はない。すなわち、本発明に係る機器情報識別方法は、本発明の効果を実現できる最小限のステップのみを含めばよい。
【０１６６】
また、機器情報識別方法における各ステップの実行される順序は、本発明を具体的に説明するための一例であり、上記以外の順序であってもよい。また、機器情報識別方法におけるステップの一部と、他のステップとは、互いに独立して並列に実行されてもよい。
【０１６７】
なお、本発明は、その発明の範囲内において、各実施の形態を自由に組み合わせたり、各実施の形態を適宜、変形、省略することが可能である。
【産業上の利用可能性】
【０１６８】
本発明は、健康管理機能を有するハードディスク内蔵のデジタル放送テレビ受信機などに利用することができる。すなわち、本発明は、外部の健康機器と連携して複数のユーザーの健康情報を記憶し、管理する機器に応用できる。
【符号の説明】
【０１６９】
１００  テレビジョン受信機、１２６  有線インターフェイス、１２７  無線インターフェイス、１２８  情報記憶部、１３０，１３１  健康機器、１４３  機器情報識別部。
【図１】
2015128491.tif 000003
【図２】
2015128491.tif 000004
【図３】
2015128491.tif 000005
【図４】
2015128491.tif 000006
【図５】
2015128491.tif 000007
【図６】
2015128491.tif 000008
【図７】
2015128491.tif 000009
【図８】
2015128491.tif 000010